(57)【要約】【課題】ネットワーク環境の設定に必要な情報を、簡易な作業で安全に交換し、環境設定時の作業の煩雑さを解消する。【解決手段】  ネットワーク環境設定装置はＵＳＢメモリによって形成し、不揮発性で書込み可能なメモリ７にコンピュータ端末の通信環境設定に必要な情報を記憶する。メモリ７に記憶した情報を、インターフェース部５を他のネットワーク設定装置のインターフェース部５に接触させることにより、メモリ７に記憶した情報を交換する。ＵＳＢ部４をコンピュータ端末に接続することで、メモリ７に記憶した情報をコンピュータ端末に供給する。【選択図】図３
2006270475.tif 000002
【特許請求の範囲】
【請求項１】
情報処理装置がネットワーク通信を行うためのネットワーク環境設定情報を記憶する記憶手段を備えたネットワーク環境設定装置であって、
ネットワーク環境設定情報を他の前記ネットワーク環境設定装置と交換するネットワーク環境設定情報交換手段と、
前記記憶手段に記憶された前記ネットワーク環境設定情報を情報処理装置に供給するネットワーク環境設定情報供給手段と
を備えたことを特徴とするネットワーク環境設定装置。
【請求項２】
請求項１に記載のネットワーク環境設定装置であって、
前記ネットワーク環境設定情報交換手段は、他の前記ネットワーク環境設定装置と接触により情報を交換する導電部を備えたことを特徴とするネットワーク環境設定装置。
【請求項３】
請求項１に記載のネットワーク環境設定装置であって、
前記ネットワーク環境設定情報交換手段は、他の前記ネットワーク環境設定装置と無線により情報を交換する通信部を備えたことを特徴とするネットワーク環境設定装置。
【請求項４】
請求項１ないし３のいずれかに記載のネットワーク環境設定装置であって、
前記ネットワーク環境設定情報交換手段と前記ネットワーク環境設定情報供給手段とを切替える切替手段を設けたことを特徴とするネットワーク環境設定装置。
【請求項５】
請求項１ないし４のいずれかに記載のネットワーク環境設定装置において、
前記ネットワーク環境設定情報交換手段は、他のネットワーク環境設定装置との間で信号が交信可能か否かを検知する検知手段を備え、
前記ネットワーク環境設定情報交換手段は、前記検知手段の検知結果をもとに信号が交信可能であると判断したときにネットワーク環境設定情報を交換することを特徴とするネットワーク環境設定装置。
【請求項６】
請求項１ないし５のいずれかに記載のネットワーク環境設定装置と、
情報処理装置に接続され当該情報処理装置と他の情報処理装置との間でデータを送受信する無線通信部と
を備えたことを特徴とするネットワーク接続装置。
【発明の詳細な説明】
【技術分野】
【０００１】
本発明は、ネットワーク環境を設定するための技術に関する。
【背景技術】
【０００２】
複数台のコンピュータ端末を通信媒体で接続しネットワークシステムとして使用する場合、使用するコンピュータ端末のネットワーク環境を整えなければならない。この環境設定は、各コンピュータ端末のキーボードを用いて手動で行うのが一般的だが、設定項目が多く、煩雑な作業になる。
特に、IEEE802.11準拠の無線LANなど無線ネットワークにおいては、ESS-ID（Extended Service Set-ID）など混信防止用のネットワークIDの設定や、通信時の傍受を防ぐためのセキュリティ設定など、有線の通信よりも設定項目が多くなり、設定作業は一層煩雑になる。
そのため、従来、基地局が特定の情報に対して演算を行った結果をそのネットワークIDとして設定して、クライアントである通信端末に送信し、通信端末は受信したネットワークIDに所定の演算を行って演算結果が所定の値になれば、それを自らのネットワークIDとする、ネットワークＩＤ情報の交換技術が知られている（たとえば、特許文献１参照）。なお、ここでいう「情報の交換」とは、一方向または双方向の情報の授受を指すものとし、一の装置から他の装置へのみ情報が送信される場合もここでいう「情報の交換」に含まれるものとし、本明細書において「情報の交換」とはすべてこの意味で用いる。
しかし、上記特許文献１に記載されたネットワークＩＤの交換技術においては、ネットワーク上でネットワークIDの交信が行われるため、傍受される危険が伴い、セキュリティ上好ましくない。また、ネットワークID以外の環境設定情報を自動的に交換することはできず、設定作業の煩雑さは依然存在する。さらに、上記特許文献１に記載された技術は、通信環境の設定にのみ用いるものであって、この技術を用いて、コンピュータ端末相互間で無線ＬＡＮ等による無線通信を行うことはできなかった。
【発明の開示】
【発明が解決しようとする課題】
【０００３】
本発明は、上記の問題を解決するためになされたものであり、その目的は、ネットワークID以外の情報も含めたネットワーク環境の設定に必要な情報を、簡易な作業で安全に交換し、ネットワーク環境設定時の作業の煩雑さを解消し、通信環境設定と情報処理装置間の無線通信とを一の装置で行うことである。
【特許文献１】特開２００４−２３５７３５号公報
【課題を解決するための手段】
【０００４】
請求項１に記載の発明は、情報処理装置がネットワーク通信を行うためのネットワーク環境設定情報を記憶する記憶手段を備えたネットワーク環境設定装置であって、ネットワーク環境設定情報を他の前記ネットワーク環境設定装置と交換するネットワーク環境設定情報交換手段と、前記記憶手段に記憶された前記ネットワーク環境設定情報を情報処理装置に供給するネットワーク環境設定情報供給手段とを備えたことを特徴とするネットワーク環境設定装置である。
請求項２に記載の発明は、請求項１に記載のネットワーク環境設定装置であって、前記ネットワーク環境設定情報交換手段は、他の前記ネットワーク環境設定装置と接触により情報を交換する導電部を備えたことを特徴とするネットワーク環境設定装置である。
請求項３に記載の発明は、請求項１に記載のネットワーク環境設定装置であって、前記ネットワーク環境設定情報交換手段は、他の前記ネットワーク環境設定装置と無線により情報を交換する通信部を備えたことを特徴とするネットワーク環境設定装置である。
請求項４に記載の発明は、請求項１ないし３のいずれかに記載のネットワーク環境設定装置であって、前記ネットワーク環境設定情報交換手段と前記ネットワーク環境設定情報供給手段とを切替える切替手段を設けたことを特徴とするネットワーク環境設定装置である。
請求項５に記載の発明は、請求項１ないし４のいずれかに記載のネットワーク環境設定装置において、前記ネットワーク環境設定情報交換手段は、他のネットワーク環境設定装置との間で信号が交信可能か否かを検知する検知手段を備え、前記ネットワーク環境設定情報交換手段は、前記検知手段の検知結果をもとに信号が交信可能であると判断したときにネットワーク環境設定情報を交換することを特徴とするネットワーク環境設定装置である。
請求項６に記載の発明は、請求項１ないし５のいずれかに記載のネットワーク環境設定装置と、情報処理装置に接続され当該情報処理装置と他の情報処理装置との間でデータを送受信する無線通信部とを備えたことを特徴とするネットワーク接続装置である。
【発明の効果】
【０００５】
本発明によれば、ネットワークID以外の情報も含めたネットワーク環境の設定に必要な情報を、簡易な作業で安全に交換し、ネットワーク環境設定時の作業の煩雑さを解消し、通信環境設定と情報処理装置間の無線通信とを一の装置で行うことができる。
【発明を実施するための最良の形態】
【０００６】
以下、本発明の実施形態について図面を参照して説明する。
まず、図１ないし図４を用いて、本発明の第１の実施形態を説明する。
図１は、本発明のネットワーク環境設定装置を用いる、ネットワーク環境の概略図である。図示のとおり、ネットワーク環境は、情報処理装置として2台のコンピュータ端末１００ａ、１００ｂを用いる、アド・ホック型（アクセスポイントを介さず、コンピュータ端末相互間で直接通信を行う通信形態）の無線ネットワークである。図１においてコンピュータ端末１００ａ、１００ｂは、それぞれノート型のパーソナルコンピュータである。
【０００７】
コンピュータ端末１００ａ、１００ｂには、本発明のネットワーク環境設定装置１を接続するためのＵＳＢジャック（図示せず）がそれぞれ設けられており、ネットワーク環境設定装置１からネットワーク環境設定に必要な情報を受けることができる。コンピュータ端末１００ａ、１００ｂには、ネットワーク環境設定装置１と信号の導通が可能であることを検知すると自動的にネットワーク環境設定を開始するスイッチング機能（以下単に「スイッチング機能」と称する。）を、当該目的のソフトウェアをインストールすることにより持たせることができる。
【０００８】
スイッチング機能を持ったコンピュータ端末１００ａ、１００ｂに通信環境設定装置１を適用することにより、ネットワーク環境設定時の設定作業の煩雑さを大幅に軽減させることができる。
【０００９】
コンピュータ端末１００ａ、１００ｂは、ノート型パーソナルコンピュータに限らず、PDA（携帯情報端末）、携帯電話など、コンピュータ通信を実現できる装置であればどのようなものでもよい。コンピュータ端末１００ａ、１００ｂ相互間の通信方式は、IEEE802.11準拠の無線LANや、Bluetooth（登録商標）など、コンピュータ通信を実現できる無線方式であればどのようなものでもよい。また、本実施形態においてコンピュータ端末１００ａ、１００ｂは2台であるが、3台以上であってもよい。
コンピュータ端末１００ａ、１００ｂのＵＳＢジャック（図示せず）には、本発明のネットワーク環境設定装置１がそれぞれ接続される。
【００１０】
図２は、第1の実施形態のネットワーク環境設定装置１の外観概略図である。
ネットワーク環境設定装置１はＵＳＢ(Universal Serial Bus)メモリ型の装置であって、接続したコンピュータ端末１００ａ、１００ｂにおける無線ＬＡＮ環境の設定を行うネットワーク環境設定機能と、環境設定後のコンピュータ端末間１００ａ、１００ｂの無線通信とを実現するネットワーク接続機能とを備えている。
【００１１】
ネットワーク環境設定装置１の本体部２には、スイッチ３とＵＳＢ部４とインターフェース部５とを備えている。
スイッチ３は、ネットワーク環境設定装置１における動作モードを、コンピュータ端末１００ａ、１００ｂへの情報供給を行うモードと、ネットワーク環境設定装置１相互間の情報交換を行うモードとの間で切替えるための押下式の切替スイッチである。
ＵＳＢ部４はＵＳＢ接続用の端子であって、コンピュータ端末１００ａ、１００ｂと接続してデータ伝送路を形成する。
インターフェース部５は、本体部２の表面に設けられ、ネットワーク環境設定装置１相互間で信号の授受を行う。詳しくは、後述する図３の説明にて述べる。
【００１２】
図３は、第1の実施形態のネットワーク環境設定装置１の制御ブロック図である。
ネットワーク環境設定装置１は、制御のための構成として、スイッチ３、ＵＳＢ部４、インターフェース部５、センサ部６、メモリ７、ＭＡＣ／ＢＢ部８、ＲＦ部９、制御部１０を備えている。インターフェース部５、センサ部６、制御部１０は、ネットワーク環境設定情報を他のネットワーク環境設定装置１と交換するネットワーク環境設定情報交換部１１を形成する。ＵＳＢ部４は、メモリ７に記憶されたネットワーク環境設定情報をコンピュータ端末１００ａ、１００ｂに供給するネットワーク環境設定情報供給部１２を形成する。ＵＳＢ部４、ＭＡＣ／ＢＢ部８、ＲＦ部９は、コンピュータ端末１００ａ、１００ｂが出力するデータを無線によって交信するネットワーク通信部１３を形成する。切替部１４はスイッチ３を備え、ネットワーク環境設定情報交換部１１とネットワーク環境設定情報供給部１２とを切替える。なお、ネットワーク環境設定情報供給部１２、ネットワーク通信部１３、切替部１４はネットワーク環境設定情報交換部１１の備える制御部１０によって制御される。図３に示す各構成は、図示しない電源部から電源の供給を受けて駆動する。
以下、同図に示す制御ブロック図の各構成を説明する。
制御部１０は、CPU（中央演算装置）や半導体メモリなどを備えた演算手段であり、実装されたプログラムの命令に基づいて、ネットワーク環境設定情報交換部１１を含むネットワーク環境設定装置１全体のデータ処理やデータ伝送の監視ならびに制御を行う。
【００１３】
インターフェース部５は、他のネットワーク環境設定装置１のインターフェース部５との間で、メモリ７に記憶された情報を変換して形成した電気信号を相互に交換する。インターフェース部５は本体部２の表面の一部に露出した導電性の部材（たとえば、メモリ７と所定のバスを介して接続された端子部や、メモリ７に設けられたトランスポンダと交信する接触式リーダ・ライタ）として形成する。
【００１４】
インターフェース部５が他のネットワーク環境設定装置１と交信する信号は、通常のＬＡＮに用いられる信号であってもよいし、設定情報交換用の専用信号であってもよい。また、信号は、セキュリティを強化するために暗号化して交信することが望ましい。
【００１５】
センサ部６は、ネットワーク環境設定装置１が他のネットワーク環境設定装置１と信号の交信が可能か否かを判断するために、インターフェース部５の表面の接触状態を検知する。センサ部６が検知した信号は制御部１０に供給される。
【００１６】
メモリ７は、ユーザによる書込みが可能な不揮発性のデータメモリ（記憶手段）であり、ＵＶ−ＥＰＲＯＭ(Ultra-Violet Erasable Programmable Read Only Memory)や、ＥＥＰＲＯＭ(Electronically Erasable Programmable Read Only Memory)などの半導体メモリや、小型のハードディスクなど、容量が大きく、データの書込みと消去とを繰返し行える各種の記憶媒体によって形成する。メモリ７には、コンピュータ端末１００ａ、１００ｂのネットワーク環境設定に必要な各種情報を記憶する。記憶する情報は、たとえばESS-IDやEncryptionなど混信防止用の情報や、傍受防止などのセキュリティ情報など、無線ＬＡＮ環境を設定するために必要な各種情報や、無線ＬＡＮ環境設定後にコンピュータ端末１００ａ、１００ｂ間における無線通信を行うために必要な各種情報などである。
【００１７】
ＭＡＣ／ＢＢ部８は、伝送制御（Media Access Control）、および伝送媒体（Base Band）として機能する。伝送媒体の機能とは、ＬＡＮ内やネットワーク環境設定装置１内で交換される電気信号を形成する機能が挙げられる。伝送制御としての機能とは、信号に含まれるアドレス情報（たとえばパケットデータのヘッダ部に含まれる宛先MACアドレス）を確認して自らのMACアドレス情報と対比し、自分宛の情報は取得し自分宛でない情報は破棄する、情報の取捨選択などが挙げられる。
【００１８】
ＲＦ部９は、無線ＬＡＮ環境設定後のコンピュータ端末１００ａ、１００ｂ同士の無線通信（Radio Frequency）を実現するための各種の構成（たとえば信号の変復調や、雑音除去や、符号誤り訂正などの機能）を備えている。
【００１９】
電源部は、小型の充電式電池などであり、ネットワーク環境設定時に必要な電力をネットワーク環境設定装置１全体に供給する。電源部への蓄電は、ネットワーク環境設定装置１をコンピュータ端末１００ａ、１００ｂに接続したときにＵＳＢ部４を介して電力を供給することで行う。
【００２０】
図４は、本実施形態のネットワーク環境設定装置１における設定情報交換および通信環境設定の手順を示すフローチャートであり、図５は本実施形態のネットワーク環境設定装置１における設定情報交換および通信環境設定の概略図である。以下、図４および図５を用いてネットワーク環境設定装置１の情報交換の手順を説明する。説明においては、図３の符号も一部用いる。
【００２１】
まず、ネットワーク環境設定装置１の利用者が、ふたつのネットワーク環境設定装置１、１の切替スイッチ３をそれぞれ押下すると、切替部１４は、ネットワーク環境設定装置１の動作モードを情報交換を行うモードに設定する（図５（５−１））。既に情報交換を行うモードになっているネットワーク環境設定装置１はこの手順を行わない。
【００２２】
ネットワーク環境設定装置１、１が双方とも情報交換を行うモードになったら（図４（ステップＳ１））、ネットワーク環境設定装置１の利用者は、双方のネットワーク環境設定装置１、１の本体部２、２のインターフェース部５、５同士を接触または近接させる（図５（５−２））。インターフェース部５、５同士が接触または近接し、ネットワーク環境設定情報交換部１１が、センサ部６の検知結果により、各ネットワーク環境設定装置１、１同士で交信可能であることを確認すると（図４（ステップＳ２）の”Ｙ”）、ネットワーク環境設定情報交換部１１は、ネットワーク環境設定装置１、１相互間でメモリ７に記憶された情報を交換する（図４（ステップＳ３））。交換された情報は、各ネットワーク環境設定装置１、１のメモリ７に新たに記憶される。情報交換の手順は、必要な情報の交換が完了するまで継続する（図４（ステップＳ４）の”Ｎ”）。必要な情報がすべて交換されたら（図４（ステップＳ４）の”Ｙ”）、ネットワーク環境設定情報交換部１１は交換の手順を終了する。
【００２３】
ネットワーク環境設定装置１、１間で情報の交換が完了し、ネットワーク環境設定装置１の利用者が各ネットワーク環境設定装置１のスイッチ３を押下すると、切替部１４は、ネットワーク環境設定装置１の動作モードをコンピュータ端末１００ａ、１００ｂに情報を供給するモードに切替える（図５（５−３））。切替えが完了したら（図４（ステップＳ５））、ネットワーク環境設定装置１の利用者は、それぞれのネットワーク環境設定装置１、１を通信端末１００ａ、１００ｂのＵＳＢ端子に接続する（図５（５−４））。通信端末１００ａ、１００ｂにスイッチング機能があれば、ネットワーク環境設定装置１の接続と同時に、ネットワーク環境設定情報供給部１２は、自動的にネットワーク環境設定装置１から通信端末１００ａ、１００ｂへの情報供給を開始する。通信端末１００ａ、１００ｂにスイッチング機能がなければ、ネットワーク環境設定装置１の接続後、通信端末１００ａ、１００ｂのキーボード入力を行って、ネットワーク環境設定情報供給部１２に情報供給を開始させる。ネットワーク環境設定情報供給部１２は、通信端末１００ａ，１００ｂに対して同一のESS-IDや、セキュリティ設定のための共通情報を供給し（図４（ステップＳ６））、通信端末１００ａ、１００ｂはこれらの情報にもとづいて通信環境の設定を行う。ネットワーク環境設定情報供給部１２が情報供給を完了すると（図４（ステップＳ７）の”Ｙ”）、通信端末１００ａ、１００ｂにおける通信環境の設定も完了する。そして、通信端末１００ａ、１００ｂ同士は、ネットワーク通信部１３のＭＡＣ／ＢＢ部８による信号伝送および伝送制御、ならびにＲＦ部９の無線通信機能などを用いて無線ＬＡＮ通信を開始する（図４（ステップＳ８）、図５（５−５））。
【００２４】
上記第1の実施形態によれば、ネットワーク環境設定装置１、１同士の情報の交換を、それぞれの装置本体２、２を接触させることで行い、しかも交換できる情報はESS-IDなどの特定の情報に限定されることはないので、コンピュータ端末１００ａ、１００ｂにネットワーク環境を設定する際の煩雑な手続を軽減できる。
次に、本発明のネットワーク環境設定装置の第２の実施形態について説明する。
第２の実施形態におけるネットワーク環境設定装置は、さきの実施形態のネットワーク環境設定装置１と同様に、アド・ホック型の無線ネットワークで用いられる（図１参照。）が、設定情報を非接触によって相互に交換する点が、第1の実施形態のネットワーク環境設定装置１と相違している。
図６は、本実施形態のネットワーク環境設定装置２１の外観の概略図である。ネットワーク環境設定装置２１は、本体部２２にスイッチ３とＵＳＢ部４のみを備え、インターフェース部５（図２参照）を有しない構成である。
図７は、第２の実施形態のネットワーク環境設定装置２１の制御ブロック図である。
ネットワーク環境設定装置１は、基本的に図３に示すネットワーク環境設定装置１と同じ構成だが、図３におけるインターフェース部５に代えて通信部としての変復調部５ａとアンテナ部５ｂとを備え、さらに、ネットワーク環境設定情報交換部１１に図３に存在しない確認応答部６aを備えている点が相違する。
変復調部５ａおよびアンテナ部５ｂは、メモリ７に記憶された情報を変換して形成した電気信号と微弱な電波（たとえば赤外線やマイクロ波）とを相互に変調・復調し、変調により形成した電波をネットワーク環境設定装置１、１相互間で交信する。
確認応答部６ａは、ネットワーク環境設定装置１同士が設定情報を交換できるか否かを判断するための信号を発信する。具体的には、設定情報を交換可能なネットワーク環境設定装置１が周囲に存在するか否かを確認するための信号（以下「確認信号」と称する。）を定期的に発信するとともに、確認信号を受信したことを相手方のネットワーク環境設定装置１に報告するための信号（以下「応答信号」と称する。）を発信する。
センサ部６は、確認応答部６ａによって発信された確認信号と応答信号を検知する。
第２の実施形態のネットワーク環境設定装置２１における、ネットワーク環境設定装置２１、２１相互間の情報交換、ならびに通信環境設定の手順は、図４および図５に示す、第1の実施形態の場合と同様であるが、情報の交換が可能か否かを確認する手順（図４の（ステップＳ２）に相当する手順）でセンサ６が検知するのは確認信号と応答信号であり、設定情報の交換手順（図４の（ステップＳ２）および図５の（５−２）に相当する手順）では無線によって設定情報の交換を行っている点が第1の実施形態と相違する。
第２の実施形態は、ネットワーク環境設定装置２１同士を近接させるだけで設定情報を交換することができるので、ネットワーク環境設定装置同士を接触させる場合よりも作業が簡単になり、コンピュータ端末１００ａ、１００ｂにネットワーク環境を設定する際の手続の煩雑さを一層軽減できる。
【００２５】
以上説明したとおり、上記第1、第２の実施形態によれば、通信端末１００ａ、１００ｂへのネットワーク環境の設定情報をネットワークを介さずに交換することが可能であるため、ネットワーク環境構築の際に情報の漏洩を防止することができる。
【００２６】
上記第1、第２の実施形態によれば、ネットワーク環境設定装置１、２１をＵＳＢメモリによって形成し、接続によりコンピュータ端末１００ａ、１００ｂに自動的に環境設定を開始させるＵＳＢスイッチの機能を持たせることができるので、コンピュータ端末１００ａ、１００ｂに環境設定する際の作業の煩雑さを軽減できる。
【００２７】
上記第1、第２の実施形態においては、ネットワーク環境設定装置１、２１をアド・ホック型のネットワークの構築に適用したが、これに限定されず、構築に際して設定が必要なネットワークであればどのようなものにも適用できる。たとえば、アクセスポイントを用いた無線ＬＡＮにも適用できる。この場合、情報交換を行った複数のネットワーク環境設定装置のうち、一の装置をアクセスポイントの設定に適用し、他の装置をクライアントの端末の設定に適用する。
【００２８】
上記第1、第２の実施形態においては、ネットワーク環境設定装置１、２１を、無線ネットワーク環境を形成するコンピュータ端末に適用したが、有線のネットワーク環境を形成するコンピュータ端末に適用し、上記各実施形態と同様の作用効果を奏させることが可能であるのは、いうまでもない。
【００２９】
上記第1、第2の実施形態においては、ネットワーク環境設定装置１の内部に電源部を設け、情報交換時に自ら電力をまかなう構成としたが、装置の構成によっては電源部を内蔵することが困難であったり、蓄電容量が少なくなって安定した電力供給が困難であったり、必然的に装置の大型化を招いたりという問題も生じうる。そこで、情報交換時に装置外から電力の供給を受ける構成とすることもできる。
【００３０】
図８は、本発明のネットワーク環境設定装置の第３の実施形態の概略図である。同図に示すとおり、第３の実施形態のネットワーク環境設定装置３１は、情報交換時に装置外から電力の供給を受ける。ネットワーク環境設定装置３１はコンピュータ端末１００ａ、１００ｂに接続したり（８−１）、ＡＣアダプタ３２、３２を介してＡＣ電源（図示せず）に接続したり（８−２）という態様により、外部から電力の供給を受けながら情報の交換を行う。情報の交換時に外部から電力の供給を受けることにより、ネットワーク環境設定装置３１に電源部を設ける必要が無くなり、安定した電力源を確保でき、装置の小型化や回路の簡易化を図ることができる。
【００３１】
本発明に示す態様の情報交換は、上記各実施形態に示す、無線ＬＡＮなどの環境を設定するためのネットワーク環境設定装置同士の設定以外に、各種の同一機器間で簡易かつ安全に情報を交換するために適用することも可能である。適用の具体例としては、たとえばシリコンオーディオプレーヤ（不揮発性メモリを内蔵した携帯型オーディオプレーヤ）に本発明と同様の機構を用い、接触又は近接させることで記憶された情報を相互に交信することが考えられる。これにより、従来は煩雑な作業や情報漏えいの危険をともなった同一機器間での情報交換を、簡易かつ安全に実現することが可能になる。
【図面の簡単な説明】
【００３２】
【図１】本発明のネットワーク環境設定装置を用いる、ネットワーク環境の概略図である。
【図２】本発明の第1の実施形態のネットワーク環境設定装置の外観概略図である。
【図３】同上ネットワーク環境設定装置の制御ブロック図である。
【図４】同上ネットワーク環境設定装置における設定情報交換および通信環境設定の手順を示すフローチャートである。
【図５】同上ネットワーク環境設定装置における情報交換および通信環境設定の概略図である。
【図６】本発明の第２の実施形態のネットワーク環境設定装置の外観概略図である。
【図７】同上ネットワーク環境設定装置の制御ブロック図である。
【図８】本発明のネットワーク環境設定装置の第３の実施形態の概略図である。
【符号の説明】
【００３３】
１、２１、３１・・・ネットワーク環境設定装置、５・・・インターフェース部、５ａ・・・変復調部、５ｂ・・・アンテナ部、６・・・センサ部、７・・・メモリ、１１・・・ネットワーク環境設定情報交換部、１２・・・ネットワーク環境設定情報供給部、１３・・・ネットワーク通信部、１４・・・切替部、１００ａ、１００ｂ・・・コンピュータ端末。
【図１】
2006270475.tif 000003
【図２】
2006270475.tif 000004
【図３】
2006270475.tif 000005
【図４】
2006270475.tif 000006
【図５】
2006270475.tif 000007
【図６】
2006270475.tif 000008
【図７】
2006270475.tif 000009
【図８】
2006270475.tif 000010